(57)【要約】【課題】着脱操作が容易な止め具、及び、これを用いた装身具を提供する。【解決手段】止め具は、第１の部材１０と、第２の部材２０と、弾性体３０とを有する。第１の部材１０は、軸１６を有する。第２の部材２０は、軸受け孔２６を有する。第１の部材１０、又は、第２の部材２０の少なくとも一方は、掛止空間２００と、開口部２２とを有し、開口部２２は、掛止空間２００に開口している。第１の部材１０と、第２の部材２０とは、軸１６と、軸受け孔２６との軸止めにより回転可能に組み合わされている。弾性体３０は、軸受け孔２６の内周面２６２と、軸１６の外周面１６０との間に配置されている。上述した止め具は、紐状部材７０と組み合わされて、装身具を構成する。紐状部材７０は、掛止空間２００に挿入され、止め具に掛け止められる。【選択図】      図４
2004290437.tif 000002
【特許請求の範囲】
【請求項１】
第１の部材と、第２の部材と、弾性体とを有する止め具であって、
前記第１の部材は、軸を有しており、
前記第２の部材は、軸受け孔を有しており、
前記第１の部材と、前記第２の部材とは、前記軸と、前記軸受け孔との軸止めにより回転可能に組み合わされており、
前記第１の部材、又は、前記第２の部材の少なくとも一方は、掛止空間と、開口部とを有し、前記開口部は、前記掛止空間に開口しており、
前記弾性体は、前記軸受け孔の内周面と、前記軸の外周面との間に配置されている
止め具。
【請求項２】
請求項１に記載された止め具であって、
前記弾性体は、Ｏリング状であって、複数個が用いられ、前記軸受け孔の内部に積層されている
止め具。
【請求項３】
請求項１または２の何れかに記載された止め具であって、ばね部材を有し、
前記ばね部材は、一端が前記第１の部材に固定され、他端が前記第２の部材に固定されている
止め具。
【請求項４】
止め具と、紐状部材とを有する装身具であって、
前記止め具は、請求項１乃至３の何れかに記載されたものでなり、
前記紐状部材は、掛止空間に挿入され、掛け止められている
装身具。
【請求項５】
止め具と、紐状部材とを有する装身具であって、
前記止め具は、請求項１乃至３の何れかに記載されたものでなり、
前記紐状部材は、一端に連結具を有し、他端が止め具に連結されており、
前記連結部は、掛止空間に挿入され、開口部に掛け止められている
装身具。
【発明の詳細な説明】
【０００１】
【発明の属する技術分野】
本発明は、ネックレス、ブレスレット等の紐状部材を用いた装身具、及び、それら装身具に用いられる止め具に関する。
【０００２】
【従来の技術】
従来より、ネックレス、ブレスレット等の紐状部材を用いた装身具において、その両端を連結するため、種々の止め具が用いられている。
【０００３】
この種の止め具は、着脱操作の間、視界内に位置するか、視界外に位置するかに関わらず、最少の手間で簡単に操作できることが重要なポイントとなる。
【０００４】
また、止め具は、金、銀やプラチナ等の貴金属により構成された高価な装身具に用いられるから、掛止効果の信頼性も重要なポイントとなる。
【０００５】
さらに、止め具は、装身具の一部であるから、見栄えがよいものでなければならない。
【０００６】
従来の止め具は、一般にリング状であって、本体と可動片からなり、可動片が円周に沿って移動し、リングの円周状の一部に開口部分が生じ、止める相手となるリングを開口部分から挿入する。この可動片は、止め具の本体に内蔵されている細い蔓巻状の押しばねにより、リング状の止め具が常に閉じられた状態になっており、可動片に設けられた小さな突起に人間の指の爪を掛けて、可動片をリングの円周状に沿って蔓巻状の押しばねと共に押さえ込むことにより、リングに開口部分を生じさせる。
【０００７】
しかし、従来の止め具は、可動片に設けられた突起が小さいこともあり、操作が容易ではなかった。
【０００８】
また、特許文献１は、外殻体と、弾性体とを含む止め具であって、前記外殻体は、孔と、中空部とを有し、前記孔は、前記外殻体の外部から前記中空部へ通じており、前記中空部は、内壁面が球面状であり、前記弾性体は、通孔部を有し、前記中空部に内蔵されており、前記弾性体は、外周が円形状であって、その外周面が前記中空部の前記球面状の内壁面に面で圧接し、前記外周面と前記球面状の内壁面との前記圧接によってのみ前記内壁面によって支持されており、前記通孔部は前記孔に通じている止め具を開示している。
【０００９】
しかし、特許文献１では、掛け止める際に、外殻体内部に配置された弾性体の通孔部に、化粧鎖等の紐状部材の開放端を挿通しなければならないという煩わしさがあった。一方、取り外す際には、止め具を、紐状部材上の設置位置から開放端まで操作しなければならないという煩わしさがあった。
【００１０】
【特許文献１】
特許第３３６７６５１号公報
【００１１】
【発明が解決しようとする課題】
本発明の課題は、着脱操作が容易な止め具、及び、これを用いた装身具を提供することである。
【００１２】
【課題を解決するための手段】
上述した課題を解決するため、本発明に係る止め具は、第１の部材と、第２の部材と、弾性体とを有する。前記第１の部材は、軸を有している。前記第２の部材は、軸受け孔を有している。前記第１の部材と、前記第２の部材とは、前記軸と、前記軸受け孔との軸止めにより回転可能に組み合わされている。前記第１の部材、又は、前記第２の部材の少なくとも一方は、掛止空間と、開口部とを有し、前記開口部は、前記掛止空間に開口している。前記弾性体は、前記軸受け孔の内周面と、前記軸の外周面との間に配置されている。
【００１３】
上述した止め具は、紐状部材と組み合わされて装身具を構成する。前記紐状部材は、掛止空間に挿入され、掛け止められる。
【００１４】
ここで、本発明に係る止め具は、第１の部材と、第２の部材とを有しており、第１の部材、又は、第２の部材の少なくとも一方は、掛止空間を有する。しかも、第１の部材と、第２の部材とは、軸と、軸受け孔との軸止めにより回転可能に組み合わされている。従って、第１の部材または第２の部材を回転させて掛止空間を開口させ、紐状部材を掛止空間に挿入し、掛け止めることができる。止め具が、装身具に用いられた場合、視界内に位置するか、視界外に位置するかに関わらず、掛止空間の開閉操作、及び、紐状部材の掛け止め操作を、極めて、円滑に、且、容易に実行することができる。
【００１５】
第１の部材、又は、第２の部材の少なくとも一方は、開口部を有し、開口部は掛止空間に開口しているから、掛止空間内に掛け止められた紐状部材を、止め具の外部に導くことができる。
【００１６】
本発明に係る止め具は、弾性体を含んでおり、弾性体は、軸受け孔の内周面と、軸の外周面との間に配置されている。従って、軸受け孔の内周面と、軸の外周面との間で、弾性体の弾力性が働き、軸の遊びをなくし、適度の摩擦力で軸を回転させることができるので、開閉操作を円滑に行なうことができる。
【００１７】
本発明の他の目的、構成及び利点については、添付図面を参照し、更に詳しく説明する。添付図面は、単に、例示に過ぎない。
【００１８】
【発明の実施の形態】
図１は本発明に係る止め具の斜視図、図２は図１に示した止め具において、第１の部材のうち、軸１６を残し、その他の大部分を除去して内部構造を示す図、図３は図２に示した３−３線に沿った断面図、図４は図２に示した４−４線に沿った断面図である。図１乃至図４を参照すると、止め具は、第１の部材１０と、第２の部材２０と、弾性体３０とを有する。
【００１９】
第１の部材１０は、楕円形状の板状体であって、好ましくは、金、銀、プラチナ等の貴金属材料によりなる。第１の部材１０は、開閉機構１４と、軸１６とを有する。図示する開閉機構１４は、突片である。軸１６は、好ましくは円柱状であって、外周面１６０を有する。開閉機構１４と、軸１６とは、第１の部材１０において、第２の部材２０との相対向面側に設けられている。
【００２０】
第２の部材２０は、少なくとも一部に開放面を有する箱状体であって、掛止空間２００と、開口部２２とを有する。開口部２２は、掛止空間２００に開口している。
【００２１】
また、第２の部材２０は、軸受け孔２６を有する。軸受け孔２６は、筒形状であって、中空部２６１と、内周面２６２と、外周面２６３とを有する。第２の部材２０は、好ましくは、金、銀、プラチナ等の貴金属材料によりなる。
【００２２】
図示する第２の部材２０は、開閉機構２４を有する。開閉機構２４は、凹形状であって、第１の部材１０との相対向面側に設けられている。開閉部材２４は、前記開閉機構１４と凹凸嵌合する。
【００２３】
図示する止め具は、複数の弾性体３０を含む。弾性体３０のそれぞれは、通孔部３１を有するＯリング状であって、好ましくは、弾性の高い合成樹脂材料、または、ゴム材料でなる。
【００２４】
一般に「Ｏリング」とは、「断面が円形のリング状のスクィーズパッキン」（ＪＩＳ工業用語辞典第５版）を指す。但し、本明細書の記載において、「Ｏリング状」は、平面形状がＯ字形状であるものを指し、リング状体の他に、筒状体を含む。また、断面形状も、円形形状に限られず角形形状のものを含む。
【００２５】
複数の弾性体３０は、軸受け孔２６の中空部２６１において、隣接する通孔部３１が、垂直方向に連続して貫通するように積層されている。
【００２６】
第１の部材１０と、第２の部材２０とは、軸１６と、軸受け孔２６との軸止めにより回転可能に組み合わされている。より詳細に説明すると、第１の部材１０は、軸１６が、軸受け孔２６の中空部２６１において、弾性体３０の通孔部３１を貫通し、且、軸１６の先端部が、軸止めねじ１６１により回転可能に固定されることにより、第２の部材２０と組み合わされる。弾性体３０は、軸１６の外周面１６０と、軸受け孔２６の内周面２６２との間に複数配置されている。隣接する弾性体３０の間には潤滑材３２を注入することが好ましい。掛止空間２００は、第１及び第２の部材１０、２０の組み合わせにより閉塞されている。
【００２７】
上述した軸止めねじ１６０は、必ずしもねじ山を有するねじである必要はない。例えば、凹凸嵌合による軸止め具等を用いることができる。また、潤滑材３２は、一般的な油、グリースを用いることができるが、特にシリコン油を用いることが好ましい。
【００２８】
図示する止め具は、ばね部材４０を有する。ばね部材４０は、金属材料でなる線状部材であって、固定端４１、４２とを有する。固定端４１は第１の部材１０に固定され、固定端４２は第２の部材２０に固定される。図示するばね部材４０は、軸受け孔２６の外周面２６３に固定されている。上述したばね部材４０の固定は、溶接や、接着剤の塗布等、周知の方法により行われている。
【００２９】
図示するばね部材４０は、線状部材の折り曲げ構造であるが、板バネや、蔓巻ばねを用いることもできる。
【００３０】
止め具は、開口部２２の付近に掛止具５を有する。図示する掛止具５は、磁石であるが、その他、鉤状部材、凸状部材を用いることができる。
【００３１】
更に、止め具は、連結リング６を含む。これらは、当該技術分野において、周知の構成部分であるから、詳細は省略する。
【００３２】
上述した構造によると、止め具は、第１の部材１０、又は、第２の部材２０それ自体を操作することにより、軸１６を支点とした軸回転を行うことができる。図示する止め具において、第１又は第２の部材１０、２０は、従来技術に係る止め具の可動片に設けられた突起より大きいから、視界内に位置するか、視界外に位置するかに関わらず、掛止空間２００の開閉操作が容易である。
【００３３】
弾性体３０は、予め寸法が適宜設定されており、軸受け孔２６の中空部２６１において、軸１６と、軸受け孔２６との隙間を埋めている。その結果、止め具の軸回転時に、第１の部材１０と、第２の部材２０との間で発生するがたつきが防止されるから、掛止空間２００の開閉操作を円滑に行うことができる。
【００３４】
また、弾性体３０は、軸受け孔２６の中空部２６１において、垂直方向に積層して内蔵されているから、隣接する弾性体３０の間には潤滑材３２を保持する空間が広く形成されている。従って、軸１６を支点とした第１又は第２の部材１０、２０の回転操作を円滑に行うことができる。
【００３５】
上述したように、弾性体３０は、軸１６を支点とした第１又は第２の部材１０、２０の回転操作を円滑に行うために用いられる。図示する弾性体３０は、所謂Ｏリングであるが、一部不連続なＣ字状リングを用いることができる。同様に、弾性体３０には、板状体、筒状体、薄膜状体を複数組み合わせて用いることもできる。この構造の更なる利点は、弾性体３０の個数を選択することにより、軸１６の長さ又は軸受け孔２６の深さに追従できることである。
【００３６】
さらに、図５を参照すると、弾性体３０には、筒状体を単数用いることもできる。その場合、弾性体３０には、保油性又は吸油性を付与することにより、その内部に潤滑材３２を保持することが好ましい。この場合には、部品点数が減少すると共に、組立てが容易になる。弾性体３０は、薄膜状体であってもよい。
【００３７】
図１乃至図５に示す止め具において、第１及び第２の部材１０、２０は、ばね部材４０の弾性により押し広げられており、開閉機構１４が、開閉部材２４に押し付けられている。上述した構造によると、開閉機構１４、２４は、掛け止め時には第２の部材２０上に第１の部材１０を確実に固定し、掛止空間２００が不用意に露出することを防止する。一方、ばね部材４０の弾性を解除することにより、第１又は第２の部材１０、２０を容易に軸回転して、掛止空間２００を容易に露出することができる。
【００３８】
図示する開閉機構１４、２４は、凹凸嵌合構造であるが、第１の部材１０を第２の部材２０上に安定して配置し得れば、磁石を用いた所謂マグネットキャッチ構造や、鉤形状による掛け止め構造であっても良い。
【００３９】
本発明に係る止め具においては、特に外形形状に関する制約はない。図示する止め具は、平面楕円状の円柱形状に形成されているが例示に過ぎず、角柱状や、さらには球形状に形成することもできる（後述図２３、図２４参照）。同様に、止め具の表面には、塗装、メッキ、彫刻等を施すことができる。従って、装身具として用いられた場合に、見栄えの良い止め具を提供することができる。
【００４０】
図６は、図１乃至図５に示した止め具とは別の実施例を示す斜視図である。図示において、図１乃至図５に図示した構成部分と同一の構成部分には、同一の参照符号を付し、重複説明を省略する。
【００４１】
図６に示す止め具は、第１の部材１０と、第２の部材２０とに同一の箱状体を用いている他は、図１乃至図５と同様の構造を有する。即ち、第１及び第２の部材１０、２０は、軸１６と、軸受け孔２６との軸止めにより回転可能に組み合わされており、且、第１又は第２の部材１０、２０の少なくとも一方は、掛止空間２００と、掛止空間２００に開口する開口部２２とを有する。
【００４２】
本発明の利点は、軸１６と軸受け孔２６とを用いた軸止め機構により、第１又は第２の部材１０、２０それ自体を操作することにより、掛止空間２００の開閉操作を簡単、且、円滑に行う点にある。従って、止め具は、掛止空間２００を有する構造であれば、第１又は第２の部材１０、２０の何れに掛止空間２００が形成されるかは問わない。同様に、軸止めできれば、第１又は第２の部材１０、２０の何れに軸１６、または、軸受け孔２６が設けられているかは問わない。
【００４３】
従って、止め具は、図１乃至図５に示すように、平板状の第１の部材１０が掛止空間２００を閉塞する構造であっても良いし、図６に示すように、第１及び第２の部材１０、２０に同一の箱状体を用い、相互に相対向して組み合わせることで掛止空間２００を閉塞する構造であっても良い。
【００４４】
図６に示した止め具によると、第１の部材１０も掛止空間１００（図示しない）を有するから、掛止空間２００とともに、より広い掛け止め空間を確保することができ、且、製造コストを低減することもできる。
【００４５】
図７は、図６に示した止め具のさらに別の実施例を示す斜視図である。図６において説明したように、本発明の課題は、軸１６と軸受け孔２６とを用いた軸止め機構により、掛止空間２００の開閉操作を簡単、且、円滑に行う点にある。
【００４６】
図７に示すように、止め具において、開口部は、掛止空間２００に連続していれば、第１及び第２の部材１０、２０の双方に設けられていても良い。第１及び第２の部材１０、２０が、相互に一致するように位置決めした開口部１２、２２を有するから、開口部を広く形成することができる。上述した構造によると、止め具は、装身具に用いられた場合、様々な径寸法、又は、外形形状を有する紐状部材を掛け止めることができる。
【００４７】
また、図示しないが、開口部１２、２２を相互に不一致であるように位置決めした場合、多用途に用いることができる止め具を提供することができる。
【００４８】
上述した止め具は、紐状部材と組み合わされて、装身具を構成する。次に、本発明に係る止め具を用いた装身具について説明する。
【００４９】
図８は本発明に係る装身具の斜視図、図９は図８に示した装身具の内部構造を示す図である。図８及び図９において、図１乃至図７図示した構成部分と同一の構成部分には、同一の参照符号を付し、重複説明を省略する。
【００５０】
図８及び図９に示す装身具は、止め具１と、紐状部材７０とを有する。紐状部材７０には、周知の部材を用いることができる。本明細書において、「紐状部材」には、金属繊維、合成繊維、天然繊維等を長く寄り合わせた縄状部材、紐状部材、綱状部材を含む。更に、線状部材、棒状部材、又は、それらを連結して形成したものを含む。
【００５１】
紐状部材７０は、一端に連結具７１を有し、他端が止め具１の連結リング６に連結されている。連結具７１は、掛止空間２００に挿入され、開口部２２で掛け止められている。即ち、連結具７１は、掛止空間２００の内部において、連結具７１の端部が、第２の部材２０の内壁に当接し、紐状部材７０の脱落を防止している。連結具７１は、止め具１の開口部２２の形状、及び、掛止具５の構造に適応するように製造される。
【００５２】
図示する装飾具は、好ましい例として、掛止具５と、連結具７１とが磁石を有している。上述した構造によると、開口部２２に対する連結具７１の案内操作を容易に実行することができる。
【００５３】
図１０は図８に示した装身具の動作を説明する図、図１１は図１０の後の動作を示す図である。
【００５４】
まず、図１０を参照すると、止め具１は、第１の部材１０が、ばね部材４０の弾性により、矢印Ｍで示す方向とは反対方向に押し広げられていると同時に、開閉機構１４が、開閉機構２４に突き当たっており、第２の部材２０上に安定して配置され、掛止空間２００を閉塞し続けている。
【００５５】
紐状部材７０は、一端が連結リング６に繋がれており、掛止具７１を有する他端側は、自由端となっている。紐状部材７０の掛止具７１を、止め具１に掛け止める操作を行う場合、第１の部材１０それ自体を、矢印Ｍで示す回転方向に回転させ、掛止空間２００を露出させる。
【００５６】
次に、図１１を参照すると、露出させた掛止空間２００において、紐状部材７０の連結具７１を開口部２２に位置決めして、設置する。開口部２２付近には掛止具５が配されており、掛止具５と、連結具７１とは磁石を有するから、連結具７１は容易に開口部２２に誘導され、掛止具５により仮止めされるとともに、掛止空間２００内に配置される。
【００５７】
図示してはいないが、図１１に示す操作の後、第１の部材１０は、矢印Ｍで示した回転方向とは逆方向に回転されて、再び第２の部材２０上に戻されることにより、掛止空間２００を閉塞する。上述した閉め操作は、ばね部材４０の弾性により自動的に実行され、且、第１の部材１０の開閉機構１４が、第２の部材２０の開閉機構２４に突き当たることにより完了する。
【００５８】
上述した構造によると、止め具１は、軸１６を支点とした軸回転を行う場合、第１又は第２の部材１０、２０それ自体を操作するから、視界内に位置するか、視界外に位置するかに関わらず、掛止空間２００の開閉操作が容易である。
【００５９】
また、弾性体３０は、軸受け孔２６に内蔵されており、且、軸受け孔２６の内周面２６２と、軸１６の外周面２６３との間に配置されている。従って、軸１６を支点とした第１又は第２の部材１０、２０の回転操作を円滑に行うことができるから、紐状部材７０の着脱操作が容易である。
【００６０】
更に、装身具は、ばね部材４０の弾性を適宜調節することにより、止め具１の開放操作を容易に行い、且、止め具１の閉塞操作を自動的に行うことができるから、紐状部材７０の着脱を容易に実行することができる。
【００６１】
止め具１は、第１の部材１０が、ばね部材４０の弾性により、第２の部材２０上に安定して配置され、掛止空間２００を閉塞している。連結具７１は掛止具５により仮止めされているとともに、連結具７１は、掛止空間２００の内部において、連結具７１の端部が、第２の部材２０の内壁に当接し、紐状部材７０の脱落を防止している。従って、止め具１は、金、銀やプラチナ等の貴金属により構成された高価な装身具に用いられたとしても、掛止効果について優れた信頼性を有している。
【００６２】
図１２は図８に示した装身具とは別の実施例を示す斜視図、図１３は図１２に示した装身具の内部構造を示す平面図、図１４は図１３とは異なる内部構造を示す実施例の平面図である。
【００６３】
図１３に示す装身具を参照すると、止め具１は、紐状部材７０の任意の一部分が、掛止空間２００に挿入され、飾玉が、開口部２２の内壁に当接し、紐状部材７０の脱落を防止している。この場合、簡易な掛け止め構造を有する一方、多様な使用態様を採り得る装身具が得られる。
【００６４】
図１４に示す装身具を参照すると、止め具１は、紐状部材７０の任意の一部分が、掛止空間２００に挿入され、掛止具５により保持されて掛け止められている。掛止具５は、半割り状の弾性管であって、掛止空間２００内に配置されており、弾性管状体と、飾玉との間で発生する摩擦力を利用して、止め具１に、紐状部材７０を掛け止めている。この場合、紐状部材７０の掛け止め効果の信頼性が向上する。
【００６５】
図１２乃至図１４に示した装身具によると、紐状部材７０の任意の箇所で掛け止める、及び、取り外しを行うことができる。従って、特許文献１で問題となった、掛け止め、及び、取り外しに係る煩わしさが解消される。
【００６６】
上述した掛止具５の有無、又は、具体的構造に関し、図６において説明したように、本発明の課題は、軸１６と軸受け孔２６とを用いた軸止め機構により、掛止空間２００の開閉操作を簡単、且、円滑に行う点にある。従って、軸回転操作により掛止空間２００を開閉し、これに紐状部材７０を挿入して、掛け止めることができれば、その他の止め具１の構造について、例えば、開口部２２の設置場所や設置数、及び、掛止具５の具体的な掛止機構は、装飾効果や掛け止め効果を勘案して適宜に設定することができる。
【００６７】
図１５は本発明に係る止め具の別の実施例を示す斜視図、図１６は図１５に示した１６−１６線に沿った断面図である。図１５及び図１６において、図１乃至図１４に示した構成部分と同一の構成部分には、同一の参照符号を付し、重複説明を省略する。
【００６８】
図１５及び図１６に示す止め具において、第１の部材１０は開閉機構１４、１５を有し、第２の部材２０は開閉機構２４、２５を有する。開閉機構１４、１５は、突片である。開閉機構２４、２５は、凹形状である。第１の部材１０は、開閉機構１４が開閉機構２４と凹凸嵌合し、開閉機構１５が開閉機構２５と凹凸嵌合することにより、第２の部材２０上に安定して配置されている。
【００６９】
図示する開閉機構１４、１５、２４、２５は、凹凸嵌合であるが、磁石や、鉤状嵌合等であっても良い。また、開閉機構１４、１５、２４、２５を、複数設けることで、動作不良をより確実に防止することもできる。
【００７０】
また、図示する止め具１は、複数の開口部２２、２３を有する。複数の開口部２２、２３は、それぞれ掛止空間２００に開口している。更に、止め具１は、中心点付近に軸１６と、軸受け孔２６との軸止め構造を有する。その利点については、後に詳細に説明する。
【００７１】
図１７は、図１５に示した止め具とは別の実施例を示す斜視図である。図６で説明したように、図１７に示した止め具によると、掛止空間をより広く確保することができるとともに、製造コストを低減することができる。
【００７２】
図１８は、図１５に示した止め具１のさらに別の実施例を示す斜視図である。図１８に示すように、第１の部材１０の開口部１２、１３と、第２の部材２０の開口部２２、２３とが相互に一致するように位置決めされている場合、開口部を広く形成することができる。
【００７３】
図１９は本発明に係る装身具の別の実施例を示す斜視図、図２０は図１９に示した装身具の内部構造を示す図である。
【００７４】
図１９及び図２０に示した装身具は、止め具１と、紐状部材７０とを含む。止め具１は、図１５及び図１６に示した止め具であるから、図示の同一の構成部分には、同一の参照符号を付し、重複説明を省略する。
【００７５】
図１９及び図２０に示す装身具の利点は、軸１６及び軸受け孔２６が止め具１の中心付近に設けられている構造により、第１の部材１０の両端を操作し、それぞれの端部付近で閉塞されていた掛止空間２００を露出することができる点にある。
【００７６】
図示する装身具は、止め具１が、一本の紐状部材７０上の任意の２箇所を、開口部２２、２３それぞれで掛け止めることにより、環状部を形成している。従って、図示する止め具１を用いた装身具によると、紐状部材７０の装飾効果を向上することができる。
【００７７】
また、止め具１は、開口部２２、２３それぞれに、異なる紐状部材７０を挿入して連結することも可能である。装身具において、複数の紐状部材７０を用いた場合、多様なデザインを演出することができる。
【００７８】
図２１は図１９に示した止め具の動作を説明する図、図２２は図２１の後の動作を示す図である。
【００７９】
まず、図２１を参照すると、止め具１は、第１の部材１０が、開閉機構１４及び２４、開閉機構１５及び２５の凹凸嵌合により、第２の部材２０上に安定して配置され、掛止空間２００を閉塞されている。紐状部材７０を止め具１に掛け止める操作を行う場合、第１の部材１０それ自体の両端を、矢印Ｍで示す回転方向に回転させ、掛止空間２００を露出させる。
【００８０】
次に、図２２に示すように、掛止空間２００を露出させた後、紐状部材７０を開口部２２、２３に位置決めして、掛止空間２００内部に設置する。
【００８１】
図示してはいないが、図２１及び図２２に示す操作の後、第１の部材１０を再び第２の部材２０上に戻し、開閉機構１４及び２４、開閉機構１５及び２５をそれぞれ凹凸嵌合して掛止空間２００を閉塞する。
【００８２】
上述した構造によると、装身具は、第１の部材１０を軸回転させる開閉操作を容易に行うことができるから、止め具１に対する紐状部材７０の着脱が容易である。
【００８３】
開閉機構１４、１５、２４、２５は、凹凸嵌合構造を有するから、掛止時には第１の部材１０を第２の部材２０上に確実に固定し、掛止空間２００が不用意に露出することを防ぐ。一方、着脱時には、第１の部材１０を軸回転して、掛止空間２００を容易に露出することができる。従って、掛け止め効果の信頼性に優れている。
【００８４】
図２１及び図２２に示す止め具１は、軸１６及び軸受け孔２６が止め具１の中心付近に設けられているから、第１の部材１０の開閉態様が、図１乃至図１４に示した止め具１と異なる。従って、止め具が様々な用途に用いうることにより、装飾効果に優れた装身具を提供することができる。
【００８５】
図２３及び図２４は、本発明に係る止め具のさらに別の実施例を示す斜視図である。上述したように、本発明に係る止め具は、外形形状に特に制約はなく、角柱状や、さらには球形状に形成することもできる。
【００８６】
図示からは必ずしも明らかではないが、図２３及び図２４に示す止め具において、第１及び第２の部材１０、２０は、軸止め構造を有し、その相対向面には、掛止空間が形成されている。
【００８７】
以上、好ましい実施例を参照して本発明の内容を具体的に説明したが、本発明の基本的技術思想及び教示に基づいて、当業者であれば、種種の変形態様を採り得ることは自明である。
【００８８】
【発明の効果】
以上述べたように、本発明によれば、着脱操作が容易な止め具、及び、これを用いた装身具を提供することができる。
【図面の簡単な説明】
【図１】本発明に係る止め具の斜視図である。
【図２】図１に示した止め具の内部構造を示す図である。
【図３】図２に示した３−３線に沿った断面図である。
【図４】図２に示した４−４線に沿った断面図である。
【図５】図１乃至図４に示した止め具とは別の実施例を示す断面図である。
【図６】図１乃至図５に示した止め具とは別の実施例を示す斜視図である。
【図７】図１乃至図５に示した止め具のさらに別の実施例を示す斜視図である。
【図８】本発明にかかる装身具の斜視図である。
【図９】図８に示した装身具の内部構造を示す図である。
【図１０】図８に示した装身具の動作を説明する図である。
【図１１】図１０の後の動作を示す図である。
【図１２】図８に示した装身具とは別の実施例を示す斜視図である。
【図１３】図１２に示した装身具の内部構造を示す平面図である。
【図１４】図１３とは異なる内部構造を示す実施例の平面図である。
【図１５】本発明に係る止め具の別の実施例を示す斜視図である。
【図１６】図１５に示した１６−１６線に沿った断面図である。
【図１７】図１５に示した止め具とは別の実施例を示す斜視図である。
【図１８】図１５に示した止め具のさらに別の実施例を示す斜視図である。
【図１９】本発明に係る装身具の別の実施例を示す斜視図である。
【図２０】図１９に示した装身具の内部構造を示す平面図である。
【図２１】図１９に示した装身具の動作を説明する図である。
【図２２】図２１の後の動作を示す図である。
【図２３】本発明に係る止め具のさらに別の実施例を示す斜視図である。
【図２４】本発明に係る止め具のさらに別の実施例を示す斜視図である。
【符号の説明】
１            止め具
１０          第１の部材
１２、１３    開口部
１６          軸
１６０        外周面
２０          第２の部材
２００        掛止空間
２２、２３    開口部
２６          軸受け孔
２６２        内周面
２６３        外周面
３０          弾性体
４０          ばね部材
７０          紐状部材
７１          連結具
【図１】
2004290437.tif 000003
【図２】
2004290437.tif 000004
【図３】
2004290437.tif 000005
【図４】
2004290437.tif 000006
【図５】
2004290437.tif 000007
【図６】
2004290437.tif 000008
【図７】
2004290437.tif 000009
【図８】
2004290437.tif 000010
【図９】
2004290437.tif 000011
【図１０】
2004290437.tif 000012
【図１１】
2004290437.tif 000013
【図１２】
2004290437.tif 000014
【図１３】
2004290437.tif 000015
【図１４】
2004290437.tif 000016
【図１５】
2004290437.tif 000017
【図１６】
2004290437.tif 000018
【図１７】
2004290437.tif 000019
【図１８】
2004290437.tif 000020
【図１９】
2004290437.tif 000021
【図２０】
2004290437.tif 000022
【図２１】
2004290437.tif 000023
【図２２】
2004290437.tif 000024
【図２３】
2004290437.tif 000025
【図２４】
2004290437.tif 000026